(57)【要約】      （修正有）【課題】衣類の補修を行うにあたって便利なステッカーであって、ステッカー裏面の接着剤を保護する衣類補修用ステッカーを提供する。【解決手段】破損した衣類を補修するための衣類補修用ステッカー１０Ａであって、長辺が８５〜９１ｍｍで短辺が４９〜５５ｍｍのほぼ長方形状をしており、ステッカー本体２０Ａと、台紙３０Ａとを有する。ステッカー本体２０Ａの裏面２５Ａｂには接着剤が付着されている。台紙３０Ａは、その接着剤を保護するものである。ステッカー本体２０Ａのおもて面２５Ａａには、文字の記載及び／又は装飾が施されている。台紙３０Ａのおもて面３５Ａａには、名刺としての表示内容が表示されている。【選択図】図３
0003212379.tif 000002
【実用新案登録請求の範囲】
【請求項１】
破損した衣類を補修するための衣類補修用ステッカーであって、
ステッカー本体と、台紙とを有し、
前記ステッカー本体の裏面には接着剤が付着されており、
前記台紙は、前記接着剤を保護するものであり、
前記ステッカー本体のおもて面には、文字の記載及び／又は装飾が施されている、
衣類補修用ステッカー。
【請求項２】
請求項１に記載の衣類補修用ステッカーであって、
前記台紙の長辺が８５〜９１ｍｍで短辺が４９〜５５ｍｍであるほぼ長方形状をしており、
前記ステッカー本体は前記台紙に内包される形状及び大きさを有している、
衣類補修用ステッカー。
【請求項３】
請求項２に記載の衣類補修用ステッカーであって、
前記台紙のおもて面には、名刺としての表示内容が表示されている、
衣類補修用ステッカー。
【請求項４】
請求項１又は請求項２に記載の衣類補修用ステッカーであって、
前記台紙のおもて面には、当該衣類補修用ステッカーの内容又は説明が表示されている、
衣類補修用ステッカー。
【考案の詳細な説明】
【技術分野】
【０００１】
本考案は、衣類を補修する際に用いられる物品に関するものである。
【背景技術】
【０００２】
衣類は、着用されている際等において、その一部が損傷することがある。その場合は、その部分を補修する必要がある。
特に、内部にダウン等が収容された表皮としての部分が損傷した場合は、そのダウン等が外部に露出・流出することを防止するため、補修される必要性はなおさら大きいといえる。
【０００３】
ところで、衣類の損傷部分を補修するための衣類補修シートが市販されている。
それは、シート本体の裏面に接着剤が付着され（接着剤層が形成され）、そのシート本体がその接着剤層において台紙に対して貼着されて形成されている。
シート本体のおもて面（衣類補修シートとしてのおもて面）は無地であり、台紙のおもて面（衣類補修シートとしての裏面）も無地である。また、その衣類補修シートの大きさは、衣類の補修を行うための大きさよりもかなり大きなものである。
【０００４】
そして、その衣類補修シートは、次のように使用される。
衣類が損傷した際には、その損傷部分の大きさに応じてその衣類補修シート（シート本体・台紙）が適宜切断され、その切断された衣類補修シートがシート本体と台紙とに分離され、そのシート本体が、損傷部分（正確にいえば、損傷部分を含んだ部分であり、当該損傷部分の周囲を含む）に貼付される。
こうして、シート本体（切断されたもの）によって、衣類の損傷部分が塞がれて補修される。なお、その際、そのシート本体のおもて面が当該衣類のおもて面とほぼ面一状となる。
【０００５】
しかしながら、上述の衣類補修シートでは、次のような課題が存在する。
すなわち、まずは、上述したように、補修の作業の最初の段階で、その衣類補修シートを切断する必要があり、その作業が煩雑である。
【０００６】
また、前述したように、その衣類補修シートのシート本体（そのおもて面）が無地である。一方で、衣類のおもて面の外観（模様や色）には種々のものがあり、シート本体のおもて面と衣類のおもて面の外観とが一致したり調和したりすることは、基本的にあり得ないことである。
そして、そのことによって、その補修された衣類の外観が、大いに損なわれることとなる。
【０００７】
また、同じく前述したように、その衣類補修シートの台紙（そのおもて面）は無地であり、シート本体の裏面に付着された接着剤（接着剤層）を保護するための機能を有しているのみである。
【０００８】
なお、本考案に関連する先行技術として、特許文献１に記載されているものがある。
【先行技術文献】
【特許文献】
【０００９】
【特許文献１】特開２００３−２９３２４５号公報
【考案の概要】
【考案が解決しようとする課題】
【００１０】
本考案は、衣類の補修を行うにあたって便利であるとともに、他の機能も有するものを提供することを課題とする。
【課題を解決するための手段】
【００１１】
この課題を解決するために、請求項１に係る考案は、破損した衣類を補修するための衣類補修用ステッカーであって、ステッカー本体と、台紙とを有し、前記ステッカー本体の裏面には接着剤が付着されており、前記台紙は、前記接着剤を保護するものであり、前記ステッカー本体のおもて面には、文字の記載及び／又は装飾が施されている、衣類補修用ステッカーである。
【００１２】
この考案の衣類補修用ステッカーは、次のように使用される。
すなわち、この衣類補修用ステッカーはステッカー本体と台紙とに分離され、そのステッカー本体が、衣類の損傷部分に貼付される。こうして、ステッカー本体によって、衣類の損傷部分が塞がれて補修される。
【００１３】
そして、この考案の衣類補修用ステッカーでは、そのステッカー本体のおもて面に文字の記載及び／又は装飾が施されているため、衣類に貼付された状態で、その衣類の全体的な意匠（デザイン）の中で独特な印象を看者に対して与えることができる。
すなわち、シート本体のおもて面と衣類のおもて面の外観とが一致したり調和したりすることが基本的にあり得ないことを前提に、積極的に、独特の印象を看者に対して与えようとするものである。
【００１４】
請求項２に係る考案は、請求項１に係る考案の衣類補修用ステッカーであって、前記台紙の長辺が８５〜９１ｍｍで短辺が４９〜５５ｍｍであるほぼ長方形状をしており、前記ステッカー本体は前記台紙に内包される形状及び大きさを有している、衣類補修用ステッカーである。
【００１５】
この考案の衣類補修用ステッカーでは、請求項１に係る考案の衣類補修用ステッカーの作用効果に加えて、次の作用効果が得られる。
すなわち、この考案の衣類補修用ステッカー（台紙）は一般的な名刺とほぼ同一の大きさを有しているため、携帯することが容易であり、衣類が破損した直後に補修することができる。
また、ステッカー本体が台紙に内包される形状及び大きさを有しているため、ステッカー本体と台紙とを容易に分離させることができる。
また、ステッカー本体が結果的にほぼ名刺に内包される形状及び大きさを有しているため、衣類の損傷部分を補修する際に、基本的に、さらに切断する必要がなく（又はその必要性が小さく）、ステッカー本体と台紙とに分離し、そのステッカー本体をその裏面の接着剤層において衣類（損傷部分を含む部分）に対して貼付することによって、容易に補修することができる。
【００１６】
なお、「前記ステッカー本体は前記台紙に内包される形状及び大きさを有している」には、「ステッカー本体が台紙とほぼ同一の形状（長方形状）で、やや小さい（一回り小さい）大きさ（ほぼ同一の大きさ）である」という態様のほか、「ステッカー本体が楕円形の形状を有している等、台紙と異なる形状である」という態様もある。また、「ステッカー本体は台紙と比較してかなり小さい」という態様もある。
【００１７】
請求項３に係る考案は、請求項２に係る考案の衣類補修用ステッカーであって、前記台紙のおもて面には、名刺としての表示内容が表示されている、衣類補修用ステッカーである。
【００１８】
この考案の衣類補修用ステッカーでは、請求項２に係る考案の衣類補修用ステッカーの作用効果に加えて、次の作用効果が得られる。
すなわち、この考案の衣類補修用ステッカーが一般的な名刺とほぼ同一の大きさを有しているとともに、その裏面（台紙のおもて面）には名刺としての表示内容が表示されているため、衣類の補修に使用される前の段階においては、名刺として使用することができる。
【００１９】
請求項４に係る考案は、請求項１又は請求項２に係る考案の衣類補修用ステッカーであって、前記台紙のおもて面には、当該衣類補修用ステッカーの内容又は説明が表示されている、衣類補修用ステッカーである。
【００２０】
この考案の衣類補修用ステッカーでは、請求項１又は請求項２に係る考案の衣類補修用ステッカーの作用効果に加えて、次の作用効果が得られる。
すなわち、この考案の衣類補修用ステッカーの台紙のおもて面には、当該衣類補修用ステッカーの内容又は説明が表示されているため、その内容又は説明を別個表示する必要が回避される。
【図面の簡単な説明】
【００２１】
【図１Ａ】本考案の実施例１の衣類補修用ステッカーを示す斜視図（おもて面を上側にした斜視図）である。
【図１Ｂ】本考案の実施例１の衣類補修用ステッカーを示す斜視図（裏面を上側にした斜視図）である。
【図２】本考案の実施例１の衣類補修用ステッカーを示す分解斜視図（おもて面を上側にした分解斜視図）である。
【図３】本考案の実施例１の衣類補修用ステッカー（台紙が部分的に剥離された状態）を示す斜視図（おもて面を上側にした斜視図）である。
【図４】本考案の実施例１の衣類補修用ステッカー（ステッカー本体）の使用状態を示す図である。
【図５】本考案の実施例２の衣類補修用ステッカー（台紙が部分的に剥離された状態）を示す斜視図（おもて面を上側にした斜視図）である。
【図６】本考案の実施例３の衣類補修用ステッカー（台紙が部分的に剥離された状態）を示す斜視図（裏面を上側にした斜視図）である。
【考案を実施するための形態】
【００２２】
［実施例１］
次に、本考案の実施例１について、図１Ａ〜図４に基づいて説明する。
図１Ａ〜図３に示すように、この衣類補修用ステッカー１０Ａは、ステッカー本体２０Ａ及び台紙３０Ａを有しており、両者が貼着されて衣類補修用ステッカー１０Ａが形成されている。
【００２３】
図２等に示すように、この衣類補修用ステッカー１０Ａのうち、ステッカー本体２０Ａの側の面が衣類補修用ステッカー１０Ａのおもて面であり、台紙３０Ａの側の面が衣類補修用ステッカー１０Ａの裏面である。
また、ステッカー本体２０Ａのうち、衣類補修用ステッカー１０Ａのおもて面に該当する面が、ステッカー本体２０Ａのおもて面２５Ａａであり、その反対側の面（台紙３０Ａの側の面）がステッカー本体２０Ａの裏面２５Ａｂである。同様に、台紙３０Ａのうち、衣類補修用ステッカー１０Ａの裏面に該当する面が、台紙３０Ａのおもて面３５Ａａであり、その反対側の面（ステッカー本体２０Ａの側の面）が台紙３０Ａの裏面３５Ａｂである。
【００２４】
台紙３０Ａは、ステッカー本体２０Ａよりも一回り大きな大きさを有している。
この衣類補修用ステッカー１０Ａ（ステッカー本体２０Ａ及び台紙３０Ａ）は、ほぼ長方形状をしており、台紙３０Ａの四隅は直角に尖っているとともに、ステッカー本体２０Ａの四隅は丸く角落ちされている。
【００２５】
こうして、ステッカー本体２０Ａは、台紙３０Ａとほぼ同一の形状を有し、台紙３０Ａよりやや小さい（一回り小さい）大きさ（ほぼ同一の大きさ）を有しており、台紙３０Ａに内包される形状及び大きさを有している。
すなわち、この衣類補修用ステッカー１０Ａは、基本的にステッカー本体２０Ａ及び台紙３０Ａの２重構造となっているとともに、その周縁部分は台紙３０Ａのみの１重構造となっている。別の見方をすると、台紙３０Ａの周縁部分は、ステッカー本体２０Ａからはみ出ているともいえる。
【００２６】
そして、図１Ａに示すように、台紙３０Ａ（衣類補修用ステッカー１０Ａ）の長辺ＬＳは８５〜９１ｍｍであり、その短辺ＳＳは４９〜５５ｍｍである。すなわち、一般的な名刺の大きさとほぼ同一の大きさを有している。
【００２７】
ステッカー本体２０Ａは、化学繊維等の布によって形成されている。ステッカー本体２０Ａの裏面２５Ａｂには接着剤が付着され、接着剤層（図示省略）が形成されている。
台紙３０Ａは、紙によって形成され、その裏面３５Ａｂには薄膜状のシリコーン樹脂による樹脂層（図示省略）が形成されている。
そして、ステッカー本体２０Ａは、その裏面２５Ａｂの側の接着剤層において、台紙３０Ａ（その裏面３５Ａｂの側の樹脂層）に対して貼着されている。こうして、その接着剤（接着剤層）が台紙３０Ａによって保護されている。
【００２８】
図１Ａ等に示すように、ステッカー本体２０Ａのおもて面２５Ａａには、メッセージ（文字）の記載及び装飾が施されている。
すなわち、一例として、「女性の横顔のシルエット」の図形と、その女性のセリフであることを示す“ふきだし”の中に、「大丈夫」というメッセージ（文字）が記載されている。
【００２９】
図１Ｂに示すように、台紙３０Ａのおもて面３５Ａａには、名刺として表示される内容が表示されている。すなわち、使用者の氏名，勤務先の名称・部署・電話番号等が記載されている。
【００３０】
次に、この衣類補修用ステッカー１０Ａの使用方法及び作用効果について説明する。
まず、図３に示すように、衣類補修用ステッカー１０Ａをステッカー本体２０Ａと台紙３０Ａとに分離する（台紙３０Ａをステッカー本体２０Ａから剥離させる）。その際、台紙３０Ａがステッカー本体２０Ａよりも一回り大きな大きさを有し、台紙３０Ａの周縁部分がステッカー本体２０Ａからはみ出ているため、ステッカー本体２０Ａと台紙３０Ａとに容易に分離することができる。
【００３１】
そして、図４に示すように、ステッカー本体２０Ａを衣類の損傷部分（正確にいえば、損傷部分を含んだ部分であり、当該損傷部分の周囲を含む）に貼付する。
こうして、ステッカー本体２０Ａによって、衣類の損傷部分が塞がれて補修される。なお、その際、ステッカー本体２０Ａのおもて面２５Ａａが当該衣類のおもて面とほぼ面一状となる。
【００３２】
そして、この衣類補修用ステッカー１０Ａ（台紙３０Ａ）は一般的な名刺とほぼ同一の大きさを有しているため、折り曲げることなく携帯することが可能であり、衣類が破損した直後に補修することができる。
【００３３】
また、この衣類補修用ステッカー１０Ａが一般的な名刺とほぼ同一の大きさを有しているとともに、図１Ｂに示すように、その裏面（台紙３０Ａのおもて面３５Ａａ）には名刺としての表示内容が表示されているため、衣類の補修に使用される前の段階においては、名刺として使用することができる。すなわち、本来の名刺を忘れた場合に、予備的に名刺として使用することも可能である。
【００３４】
また、この衣類補修用ステッカー１０Ａのステッカー本体２０Ａの大きさが名刺の大きさとほぼ同一（やや小さい）であるため、衣類の損傷部分を補修する際に、基本的に、さらに切断する必要がなく、ステッカー本体２０Ａと台紙３０Ａとに分離し、そのステッカー本体２０Ａをそのまま衣類（損傷部分を含む部分）に対して貼付することによって、容易に補修することができる。
【００３５】
また、この衣類補修用ステッカー１０Ａでは、そのステッカー本体２０Ａのおもて面２５Ａａには前述したメッセージ（文字）の記載及び装飾が施されているため、衣類に貼付された状態で、その衣類の全体的な意匠（デザイン）の中で独特な印象を看者に対して与えることができる。すなわち、心配性の人に対して、安心を促すメッセージを伝えることができる。
【００３６】
［実施例２］
次に、本考案の実施例２について、図５に基づいて説明する。実施例２は実施例１の変形例であり、共通する要素については、対応する符号（「Ａ」を「Ｂ」に変更した符号）を付して適宜説明を省略する。
【００３７】
この衣類補修用ステッカー１０Ｂも、ステッカー本体２０Ｂ及び台紙３０Ｂを有している。
この衣類補修用ステッカー１０Ｂのおもて面（ステッカー本体２０Ｂのおもて面２５Ｂａ）には、「爆発」の“ふきだし”の中に「ＣＡＵＴＩＯＮ」のメッセージ（文字）が記載されている。
この衣類補修用ステッカー１０Ｂによっても、衣類（損傷部分を含む部分）に対して貼付されて使用された状態で、その衣類の全体的な意匠（デザイン）の中で独特な印象を看者に対して与えることができる。すなわち、看者に対して注意を喚起することができる。
【００３８】
［実施例３］
次に、本考案の実施例３について、図６に基づいて説明する。実施例３も実施例１の変形例であり、共通する要素については、対応する符号（「Ａ」を「Ｃ」に変更した符号）を付して適宜説明を省略する。
【００３９】
この衣類補修用ステッカー１０Ｃも、ステッカー本体２０Ｃ及び台紙３０Ｃを有している。
この衣類補修用ステッカー１０Ｃの裏面（台紙３０Ｃのおもて面３５Ｃａ）には、「カンタン補修ステッカー」の文字の記載が施されている。
この記載によって、この物品（衣類補修用ステッカー）の内容が別個表示されなくても、その内容を使用者が理解することができる。
【００４０】
なお、上記のものはあくまで本考案の数例の実施例にすぎず、当業者の知識に基づいて種々の変更を加えた態様で本発明を実施できることはもちろんである。
【００４１】
例えば、ステッカー本体（２０Ａ〜２０Ｃ）のおもて面（２５Ａａ〜２５Ｃａ）においては、上述の例に限らず、種々の文字（メッセージ）及び／装飾が施されていてもよい。
また、台紙（３０Ａ〜３０Ｃ）のおもて面（３５Ａａ〜３５Ｃａ）においても、上述の例に限らず、他のスタイルの名刺の表示内容や、当該衣類補修用ステッカーの内容又は説明として他のものが表示されていてもよい。
【符号の説明】
【００４２】
１０Ａ，１０Ｂ，１０Ｃ  衣類補修用ステッカー
２０Ａ，２０Ｂ，２０Ｃ  ステッカー本体
２５Ａａ，２５Ｂａ，２５Ｃａ  おもて面
２５Ａｂ，２５Ｂｂ，２５Ｃｂ  裏面
３０Ａ，３０Ｂ，３０Ｃ  台紙
３５Ａａ，３５Ｂａ，３５Ｃａ  おもて面
３５Ａｂ，３５Ｂｂ，３５Ｃｂ  裏面
【図１Ａ】
0003212379.tif 000003
【図１Ｂ】
0003212379.tif 000004
【図２】
0003212379.tif 000005
【図３】
0003212379.tif 000006
【図４】
0003212379.tif 000007
【図５】
0003212379.tif 000008
【図６】
0003212379.tif 000009